(57)【要約】【課題】  電池の無駄な消耗を無くすようにした電池式電気錠を提供することを目的とする。【解決手段】  ロッカー扉板３の錠前装置１Ａに設けられ、ＩＣタグＰで押すことによって電池Ｑの電源がＯＮとなり、ＩＣタグＰによるデータの送受信および錠前装置１Ａの施錠・開錠が行えるようにしたプッシュボタン５を備える。そして、このプッシュボタン５は錠ケース４の表面にバネ１２の付勢力によって突出して嵌め込まれ、裏面中央に設けられた突起５Ａで配線基板１１の正面に設けられたスイッチ部１１Ａが押されることで電池Ｑの電源がＯＮとなるようになっている。【選択図】          図７
2006291528.tif 000002
【特許請求の範囲】
【請求項１】
ロッカー扉板の錠前装置に設けられ、ＩＣタグで押すことによって電池の電源がＯＮとなり、ＩＣタグによるデータの送受信および錠前装置の施錠・開錠が行えるようにしたプッシュボタンを備えたことを特徴とする電池式電気錠。
【請求項２】
プッシュボタンは、錠ケース表面にバネの付勢力により突出して嵌め込まれ、裏側中央に設けられた突起で配線基板正面に設けられたスイッチ部が押されることで電池の電源がＯＮとなるようにしたことを特徴とする請求項１記載の電池式電気錠。
【発明の詳細な説明】
【技術分野】
【０００１】
本発明は、電気錠、特にロッカー管理システムにおけるＩＣタグ電気錠、さらに詳細にはＩＣタグの電源として電池を用いた電池式電気錠に関する。
【背景技術】
【０００２】
従来、この種の電気錠は、ＩＣタグをそれ自身が持つ製造番号である例えばシリアルナンバーを書き換えのできないＩＤとしてキーとしての意味を付け、ロッカー本体側に扉の施錠を行うロック機構、ＩＣタグの受付部、ＩＣタグにエネルギーを供給してＩＣタグとの間で送受信を行う送受信部、送受信部より接続される管理部およびこれらに対する電源供給部を一体的に構成して成る電気錠として機能させている。例えば、本出願人自身は、先に出願された特許文献１に開示された電気錠として、タグチェッカーの往方向への移動によってオンとなる検知スイッチのオンによって作動するラッチ用ソレノイドによりラッチレバーへの係合解除方向に作動して施錠可能状態とする作動片を備えた技術を提案した。
【特許文献１】特願２００３−０４２６０６号
【発明の開示】
【発明が解決しようとする課題】
【０００３】
しかしながら、従来の電池式電気錠においては、錠前装置の施錠・開錠中においても電池の電源が消費されるため、電池の寿命が短くなる。しかも、このように電池の寿命が短くなるため、当該電池を頻繁に取り換えなければならなくなり、余分な手間と費用がかかるという問題があった。
【０００４】
そこで、本発明は、叙上のような従来存した諸事情に鑑みなされたもので、錠前装置の施錠・開錠中では電池電源をＯＦＦとしておき、ＩＣタグによる操作時のみ電池の電源がＯＮとなるように改良することで電池の無駄な消耗を極力少なくすることができる電池式電気錠を提供することを目的とする。
【課題を解決するための手段】
【０００５】
上述した課題を解決するため、本発明にあっては、ロッカー扉板の錠前装置に設けられ、ＩＣタグで押すことによって電池の電源がＯＮとなり、ＩＣタグによるデータの送受信および錠前装置の施錠・開錠が行えるようにしたプッシュボタンを備えたものである。
【０００６】
また、プッシュボタンは、錠ケース表面にバネの付勢力により突出して嵌め込まれ、裏側中央に設けられた突起で配線基板正面に設けられたスイッチ部が押されることで電池の電源がＯＮとなるようにしたことを特徴とする。
【０００７】
このように本発明に係る電池式電気錠によれば、使用に際して、錠前装置の正面板に突設したプッシュボタンをいったんＩＣタグで押圧後退させた後に、ＩＣタグによる通常のデータ送受信を行わせる。すなわち、錠ケース表面にバネの付勢力によって突出しているプッシュボタンをＩＣタグで押圧後退させると、プッシュボタン裏面中央に設けられた突起が配線基板正面に設けられたスイッチ部を押すことで電池の電源がＯＮとなって配線基板に電流が流れ、ＩＣタグによる通常のデータ送受信および錠前装置の施錠・開錠が行われるものである。
【発明の効果】
【０００８】
本発明によれば、錠前装置の施錠・開錠中では電池電源をＯＦＦとしておき、ＩＣタグによる押圧操作時のみ電池の電源がＯＮとなるように改良することで電池の無駄な消耗を極力少なくすることができる。したがって、電池交換の手間が少なくなり、かつ経費の節減にも寄与するものである。
【発明を実施するための最良の形態】
【０００９】
以下、図面を参照して本発明を実施するための最良の一形態を説明すると、図において示される符号１は、例えばロッカー管理システムにおけるＩＣタグＰの電源として例えば単三乾電池４本の電池Ｑを用いた電池式電気錠であり、図１、図５および図１０等に示すように、ロッカー本体２を開閉するロッカー扉板３に設けられた錠ケース４の正面板下側に錠前装置１Ａに連結されたプッシュボタン５を突設し、上側にはキー孔を有する非常用錠前装置６を設けてある。そして、図５に示すように、錠ケース４の背面下方には、電池収納ケース７を配置し、該電池収納ケース７背面に蓋板７Ａを着脱自在に嵌合することで電池収納ケース７自体を閉蓋するようにしてある。
【００１０】
また、図２、図９等に示すように、ロッカー本体２のラッチ受け２Ａに対向する錠ケース４の側面には、Ｌ字枠状のラッチガード２Ｂによって覆われた状態でラッチ８が一対の取付プレート９の支軸９Ｃによって回動自在に支持され、施錠中、ラッチ８に形成されている係合凹部８Ａにラッチ受け２Ａが係合されるようにしてある。
【００１１】
さらに、図８に示すように、このラッチ８の両面側にはピン８Ｂがそれぞれ突設されており、両取付プレート９に穿設した円弧状のガイド長孔９Ａに該ピン８Ｂが遊嵌されると共に、二股弦巻状のバネ１０の一端を取付プレート９に固定し、バネ１０の他端をピン８Ｂに掛架させることによって、開錠中、係合凹部８Ａからラッチ受け２Ａを外す方向へ当該ラッチ８を回転付勢させてある。
【００１２】
プッシュボタン５は、図６、図７に示すように、この一端面中央にスイッチ押圧用の突起５Ａが形成され、該突起５Ａに対して上下一対の箇所にはバネ収容部５Ｂを凹設し、さらにプッシュボタン５の外周部には環状の係止突部５Ｃを形成してある。そして、錠ケース４表面に穿設された孔部の内側からプッシュボタン５の頭部側が錠ケース４外方へ突き出されるように配置されると共に、錠ケース４内に配された配線基板１１とバネ収容部５Ｂとの間にバネ１２を介挿させることで、プッシュボタン５の係止突部５Ｃを錠ケース４の孔部周縁に常時圧接保持させてある。
【００１３】
また、配線基板１１側にはスイッチ押圧用の突起５Ａに対向してスイッチ部１１Ａが配設され、プッシュボタン５を後述するＩＣタグＰによって押圧操作させることによってスイッチ部１１Ａが突起５Ａによって押圧されて電池Ｑの電源がＯＮとなり、ＩＣタグＰによるデータの送受信が行えるようにしてある。さらに詳細に説明すると、このスイッチ部１１Ａは、配線基板１１に付設されている小さな筐体の開口部からスイッチレバー１１Ｂの頭部が常時露出するように揺動付勢され、プッシュボタン５の突起５Ａによってスイッチレバー１１Ｂが押圧後退されて配線基板１１の接点とスイッチレバー１１Ｂの接点とが接触することにより配線基板１１に電池電源が流れ、データの送受信と錠前装置１Ａの施錠・開錠用のソレノイド１４の作動を行うものとなっている。
【００１４】
図１０に示すように、錠ケース４内にはラッチ用ロックレバー１３が一端の第１の支点部１３Ａを介して揺動可能に支持されている。このラッチ用ロックレバー１３の他端には、前記回転内筒６Ａの作動ピン６Ｂに当接する一対の当接部１３Ｂが形成され、下端には前記ラッチ８の回転を阻止するための段差状の係止部１３Ｃが形成され、さらに上端にはソレノイド１４のプランジャー１４Ａの係止ピン１４Ｂに掛架させるＬ字形突起状の掛架部が形成されている。
【００１５】
さらにまた、錠ケース４内にはプランジャー１４Ａを操作する既述ソレノイド１４を備えており、該ソレノイド１４の係止ピン１４Ｂと前記ラッチ用ロックレバー１３の掛架部との間にはプランジャー１４Ａが突出する方向に付勢するコイル状のバネ１５が介在されている。而して、プッシュボタン５が押圧されることでソレノイド１４に電流が流れると、プランジャー１４Ａがバネ１５の付勢力とともに伸長するため、ラッチ用ロックレバー１３が支点部１３Ａを介して反時計方向へ回動し係止部１３Ｃによってラッチ３が係止されて開扉が阻止されるものとなっている。
【００１６】
ＩＣタグＰは、図３、図４に示すように、手首に装着されるよう可撓性を有した非磁性の合成樹脂からなるカールコード状のバンドを取り付けた硬質樹脂製のケースに内蔵され、ケース表面にはロッカー番号等のシリアルナンバーを表示してあり、このケース自体でもってプッシュボタン５を押圧操作させる。
【００１７】
一方、非常用錠前装置６は、図１１に示すように、錠シリンダーに回転可能に支持されている回転内筒６Ａのキー孔６Ｄに対向する背面側には、差し込まれたキーの回動に伴い該回転内筒６Ａと一体となって回動する作動ピン６Ｂが突設されている。また、回転内筒６Ａの周面には凹部６Ｃが形成され、錠ケース４に形成されたバネ取付部４Ａに配されているバネ４Ｂの一端を該凹部６Ｃに圧接させてある。
【００１８】
図１０に示すように、ラッチ用ロックレバー１３における一対の当接部１３Ｂ側近傍には、突起状の第２の支点部１３Ｅが形成され、電池蓋用ロックレバー１６の略中央に設けた長孔１６Ａに係入され、第１の支点部１３Ａを介してのラッチ用ロックレバー１３の揺動に伴って電池蓋用ロックレバー１６自体が上下方向に移動されるようにしてある。また、電池蓋用ロックレバー１６の一端には、前記回転内筒６Ａの作動ピン６Ｂに係架させるための上側係止突起１６Ｂが形成され、他端には、電池収納ケース７背面に装着された蓋板７Ａの上側縁端部に形成されている係合孔に係合させるための下側係止突部１６Ｃが形成されている。
【００１９】
そして、電池蓋用ロックレバー１６の一方の面にはリセットレバー１７が、それぞれの長孔１６Ａ、１７Ａに対応して接合され、リセットレバー１７一端に形成されたスイッチ接点の当接押部１７Ｂと電池蓋用ロックレバー１６の下側係止突起１６Ｃとの間にバネ１９を介挿させて、当該電池蓋用ロックレバー１６を下降方向に常時付勢させてある。
【００２０】
また、リセットレバー１７の上端には、円弧状の押下げ部１７Ｃが形成され、回転する前記回転内筒６Ａの作動ピン６Ｂによって押下げ部１７Ｃを介してリセットレバー１７が押圧降下され、前記当接押部１７Ｂによってマイクロスイッチ２０のスイッチ接点２０Ａを押圧して電池の電源がＯＮとなり、ソレノイド１４に電流が流れるようにしてある。
【００２１】
而して、ソレノイド１４に電流が流れると、プランジャー１４Ａがバネ１５の付勢力に抗して引っ込むとともに、ラッチ用ロックレバー１８のラッチ３とは反対側の当接部１３Ｂが押されるため、ラッチ用ロックレバー１３が支点部１３Ａを介して時計方向へ回動し係止部１３によるラッチ３に対する係止が解除され非常開錠が可能となる。
【００２２】
また、非常用錠前装置６のキー孔６Ｄにキーを差し込み、非常開錠とは反対方向（図１の時計方向）へ回動することによってラッチ用ロックレバー１３を上昇して蓋板７Ａの係合孔に対する係合を解除するようにしてある。これによって、電池収納ケース７背面の蓋板７Ａを容易に外すことができる。
【００２３】
次に、上記した構成による電池式電気錠の使用動作について説明する。
先ず、錠前装置１Ａの通常の施錠・開錠の場合について説明する。
【００２４】
開扉状態にあるロッカー本体２内に物品を収納した後、ロッカー扉板３を閉める。この開扉状態にある時には、図８、図１０に示すように、ラッチ８とラッチ用ロックレバー１３とは互いに干渉しない状態に位置する。つまり、ラッチ８はバネ１０によって開錠状態に付勢保持されている。
【００２５】
ロッカー扉板３を閉めると、ロッカー本体２側のラッチ受け２Ａにラッチ８が当接して当該ラッチ８をバネ力に抗して回動させる。これによってラッチ８はその係合凹部８Ａがラッチ受け２Ａに係合する。
【００２６】
しかし、このままではロッカー扉板３を開けると再び開扉可能なため、ラッチ８係合後、数秒でソレノイド１４のプランジャー１４Ａがバネ力で伸長し、ラッチ８に対してラッチ用ロックレバー１３の係止部１３Ｃが係止して、ラッチ８の開扉方向への回動を阻止する。このとき、電池Ｑの電源は切られている。
【００２７】
施錠状態のロッカー扉板３を開扉するには、先ずＩＣタグＰを錠前装置１Ａに連結されたプッシュボタン５に当ててこれを押す。これはＩＣタグＰを手首に装着したままでも可能である。このようにプッシュボタン５が押されるとスイッチレバー１１Ｂが接点と接触し、配線基板１１に電池Ｑの電流が流れる。ちなみに、ＩＣタグＰ以外のものでプッシュボタン５を押しても電池Ｑから電流は流れない。
【００２８】
これによってソレノイド１４に電流が流れ、プランジャー１４Ａをバネ力に抗して引っ込ませ、ラッチ用ロックレバー１３を反時計方向に回動させ、その係止部１３Ｃによるラッチ８に対する係止状態を解除する。
その後、開扉することができ、以下同様の動作が繰り返される。
【図面の簡単な説明】
【００２９】
【図１】本発明を実施するための最良の形態を示す電池式電気錠の要部の正面図である。
【図２】図１におけるＡ−Ａ矢視断面図である。
【図３】同じく電池式電気錠の要部の側面図である。
【図４】同じくＩＣタグの具体的な構成を示すもので（ａ）は平面図、（ｂ）は側面図である。
【図５】同じく電池式電気錠の要部の背面図である。
【図６】図１におけるＢ−Ｂ矢視断面図である。
【図７】プッシュボタンをＩＣタグで押圧した状態を示す概略断面図である。
【図８】ラッチの開錠状態を示す正面図である。
【図９】ラッチの閉錠状態を示す正面図である。
【図１０】電池収納ケースから蓋板を取り除いた状態を示す全体の正面図である。
【図１１】非常用錠前装置の一例を示し、（ａ）は正面図、（ｂ）は背面図である。
【図１２】非常用錠前装置の側面図である。
【符号の説明】
【００３０】
Ｐ      ＩＣタグ
Ｑ      電池
１      電池式電気錠
１Ａ    錠前装置
２      ロッカー本体
３      ロッカー扉板
４      錠ケース
５      プッシュボタン
５Ａ    突起
６      非常用錠前装置
７      電池収納ケース
７Ａ    蓋板
８      ラッチ
１１    配線基板
１１Ａ  スイッチ部
１２    バネ
１３    ラッチ用ロックレバー
１４    ソレノイド
１６    電池蓋用ロックレバー
１６Ｂ  上側係止突起
１６Ｃ  下側係止突起
１７    リセットレバー
２０    マイクロスイッチ
【図１】
2006291528.tif 000003
【図２】
2006291528.tif 000004
【図３】
2006291528.tif 000005
【図４】
2006291528.tif 000006
【図５】
2006291528.tif 000007
【図６】
2006291528.tif 000008
【図７】
2006291528.tif 000009
【図８】
2006291528.tif 000010
【図９】
2006291528.tif 000011
【図１０】
2006291528.tif 000012
【図１１】
2006291528.tif 000013
【図１２】
2006291528.tif 000014